(57)【要約】【課題】ＲＦＩＤタグを用いて、効率的かつ確実に対象物の重量管理をおこなうこと。【解決手段】対象物の重量を計量する計量部３０１と、計量部３０１によって対象物１１０の重量が計量された日時に関する情報を取得する計量日時情報取得部３０２と、計量部３０１によって計量された重量に関する情報および計量日時情報取得部３０２によって取得された日時に関する情報を、対象物１１０に設けられたＲＦＩＤタグ１１１に記録する記録部３０３と、を備える。【選択図】        図３
2006058186.tif 000002
【特許請求の範囲】
【請求項１】
対象物の重量を計量する計量手段と、
前記計量手段によって前記対象物の重量が計量された日時に関する情報を取得する計量日時情報取得手段と、
前記計量手段によって計量された重量に関する情報および前記計量日時情報取得手段によって取得された日時に関する情報を、前記対象物に設けられたＲＦＩＤ（Ｒａｄｉｏ  Ｆｒｅｑｕｅｎｃｙ  ＩＤ）タグに記録する記録手段と、
を備えたことを特徴とする計量情報記録装置。
【請求項２】
さらに、前記計量手段によって前記対象物の重量が計量された場所に関する情報を取得する計量場所情報取得手段を備え、
前記記録手段は、前記計量場所情報取得手段によって取得された場所に関する情報を前記対象物に設けられたＲＦＩＤタグに記録することを特徴とする請求項１に記載の計量情報記録装置。
【請求項３】
前記ＲＦＩＤタグに記録された前記対象物に関する情報を取得する対象物情報取得手段と、
前記記録手段によって記録される情報を、前記対象物情報取得手段によって取得された情報に関連付けして記憶する記憶手段と、
前記記憶手段に記憶された情報を表示する表示手段と、
を備えたことを特徴とする請求項１または２に記載の計量情報記録装置。
【請求項４】
前記ＲＦＩＤタグに記録された前記対象物に関する情報を取得する対象物情報取得手段と、
前記記録手段によって記録される情報を、前記対象物情報取得手段によって取得された情報に関連付けして記憶する記憶手段と、
前記記憶手段に記憶された情報を出力する出力手段と、
を備えたことを特徴とする請求項１または２に記載の計量情報記録装置。
【請求項５】
前記ＲＦＩＤタグに記録された前記対象物に関する情報を取得する対象物情報取得手段と、
前記記録手段によって記録される情報を、前記対象物情報取得手段によって取得された情報に関連付けして記憶する記憶手段と、
前記記憶手段に記憶された情報を所定の情報処理装置へ送信する送信手段と、
を備えたことを特徴とする請求項１または２に記載の計量情報記録装置。
【請求項６】
前記対象物を載置する載置手段を備え、
前記計量手段は、前記載置手段に載置された前記対象物の重量を計量することを特徴とする請求項１〜５のいずれか一つに記載の計量情報記録装置。
【請求項７】
前記載置手段は、シート状部材からなることを特徴とする請求項６に記載の計量情報記録装置。
【請求項８】
前記対象物をつり下げるつり下げ手段を備え、
前記計量手段は、前記つり下げ手段につり下げられた前記対象物の重量を計量することを特徴とする請求項１〜５のいずれか一つに記載の計量情報記録装置。
【請求項９】
対象物の重量を計量する計量手段と有線または無線によって接続され、
前記計量手段によって計量された前記対象物の重量に関する情報を、前記有線または無線を介して取得する計量情報取得手段と、
前記計量手段によって前記対象物の重量が計量された日時に関する情報を取得する計量日時情報取得手段と、
前記計量情報取得手段によって取得された重量に関する情報および前記計量日時情報取得手段によって取得された日時に関する情報を、前記対象物に設けられたＲＦＩＤに記録する記録手段と、
を備えたことを特徴とする計量情報記録装置。
【請求項１０】
前記対象物は、梱包されたまたは所定の容器に収納された廃棄物であることを特徴とする請求項１〜９のいずれか一つに記載の計量情報記録装置。
【請求項１１】
対象物の重量を計量する計量工程と、
前記計量工程によって前記対象物の重量が計量された日時に関する情報を取得する計量日時情報取得工程と、
前記計量工程によって計量された重量に関する情報および前記計量日時情報取得工程によって取得された日時に関する情報を、前記対象物に設けられたＲＦＩＤタグに記録する記録工程と、
を含んだことを特徴とする計量情報記録方法。
【請求項１２】
さらに、前記計量工程によって前記対象物の重量が計量された場所に関する情報を取得する計量場所情報取得工程を含み、
前記記録工程は、前記計量場所情報取得工程によって取得された場所に関する情報を前記対象物に設けられたＲＦＩＤタグに記録することを特徴とする請求項１１に記載の計量情報記録方法。
【請求項１３】
前記記録工程によって記録される情報を表示する表示工程を含んだことを特徴とする請求項１１または１２に記載の計量情報記録方法。
【請求項１４】
前記記録工程によって記録される情報を出力する送信工程を含んだことを特徴とする請求項１１または１２に記載の計量情報記録方法。
【請求項１５】
前記記録工程によって記録される情報を所定の情報処理装置へ送信する送信工程を含んだことを特徴とする請求項１１または１２に記載の計量情報記録方法。
【請求項１６】
前記請求項１１〜１５の計量情報記録方法のいずれか一つをコンピュータに実行させることを特徴とする計量情報記録プログラム。
【発明の詳細な説明】
【技術分野】
【０００１】
この発明は、ＲＦＩＤ（Ｒａｄｉｏ  Ｆｒｅｑｕｅｎｃｙ  ＩＤ）タグを用いて、計量された対象物の重量を記録する計量情報記録装置、計量情報記録方法および計量情報記録プログラムに関する。
【背景技術】
【０００２】
従来、ＲＦＩＤタグに関する技術の進歩および低価格化にともない、ＲＦＩＤタグを用いて、流通する対象物（物品）を管理することが広く考えられてきている。一方、多くの流通過程を経由して最終目的地に到達するまでに、担当者（作業者）の処理ミスなどの過失によりまたは担当者が不正の目的など意図的な処理によって、対象物の重量が変化してしまうことがある。これらを防止するために、経由地点ごとに対象物の重量を測定し、記録・管理する必要があった。特に、対象物が産業廃棄物である場合、運搬過程における不法投棄などが問題となっており、それを防止するために、運搬過程における対象物の重量を管理することは効果的であった。
【発明の開示】
【発明が解決しようとする課題】
【０００３】
しかしながら、上記従来技術にあっては、対象物を個別に計量し、記録するのは担当者（作業者）にとって極めて煩雑であり、計量し忘れ、誤計量、誤記録、さらには記録簿の紛失などの問題が発生するおそれがあり、より適切な重量管理が困難であるという問題点があった。
【０００４】
この発明は、上述した従来技術による問題点を解消するため、より簡易な作業により対象物の重量管理を効率的かつ確実におこなうことが可能な計量情報記録装置、計量情報記録方法および計量情報記録プログラムを提供することを目的とする。
【課題を解決するための手段】
【０００５】
上述した課題を解決し、目的を達成するため、請求項１に記載の発明にかかる計量情報記録装置は、対象物の重量を計量する計量手段と、前記計量手段によって前記対象物の重量が計量された日時に関する情報を取得する計量日時情報取得手段と、前記計量手段によって計量された重量に関する情報および前記計量日時情報取得手段によって取得された日時に関する情報を、前記対象物に設けられたＲＦＩＤタグに記録する記録手段と、を備えたことを特徴とする。
【０００６】
また、請求項２に記載の発明にかかる計量情報記録装置は、請求項１に記載の発明において、さらに、前記計量手段によって前記対象物の重量が計量された場所に関する情報を取得する計量場所情報取得手段を備え、前記記録手段が、前記計量場所情報取得手段によって取得された場所に関する情報を前記対象物に設けられたＲＦＩＤタグに記録することを特徴とする。
【０００７】
また、請求項３に記載の発明にかかる計量情報記録装置は、請求項１または２に記載の発明において、前記ＲＦＩＤタグに記録された前記対象物に関する情報を取得する対象物情報取得手段と、前記記録手段によって記録される情報を、前記対象物情報取得手段によって取得された情報に関連付けして記憶する記憶手段と、前記記憶手段に記憶された情報を表示する表示手段と、を備えたことを特徴とする。
【０００８】
また、請求項４に記載の発明にかかる計量情報記録装置は、請求項１または２に記載の発明において、前記ＲＦＩＤタグに記録された前記対象物に関する情報を取得する対象物情報取得手段と、前記記録手段によって記録される情報を、前記対象物情報取得手段によって取得された情報に関連付けして記憶する記憶手段と、前記記憶手段に記憶された情報を出力する出力手段と、を備えたことを特徴とする。
【０００９】
また、請求項５に記載の発明にかかる計量情報記録装置は、請求項１または２に記載の発明において、前記ＲＦＩＤタグに記録された前記対象物に関する情報を取得する対象物情報取得手段と、前記記録手段によって記録される情報を、前記対象物情報取得手段によって取得された情報に関連付けして記憶する記憶手段と、前記記憶手段に記憶された情報を所定の情報処理装置へ送信する送信手段と、を備えたことを特徴とする。
【００１０】
また、請求項６に記載の発明にかかる計量情報記録装置は、請求項１〜５のいずれか一つに記載の発明において、前記対象物を載置する載置手段を備え、前記計量手段が、前記載置手段に載置された前記対象物の重量を計量することを特徴とする。
【００１１】
また、請求項７に記載の発明にかかる計量情報記録装置は、請求項６に記載の発明において、前記載置手段が、シート状部材からなることを特徴とする。
【００１２】
また、請求項８に記載の発明にかかる計量情報記録装置は、請求項１〜５のいずれか一つに記載の発明において、前記対象物をつり下げるつり下げ手段を備え、前記計量手段が、前記つり下げ手段につり下げられた前記対象物の重量を計量することを特徴とする。
【００１３】
また、請求項９に記載の発明にかかる計量情報記録装置は、対象物の重量を計量する計量手段と有線または無線によって接続され、前記計量手段によって計量された前記対象物の重量に関する情報を、前記有線または無線を介して取得する計量情報取得手段と、前記計量手段によって前記対象物の重量が計量された日時に関する情報を取得する計量日時情報取得手段と、前記計量情報取得手段によって取得された重量に関する情報および前記計量日時情報取得手段によって取得された日時に関する情報を、前記対象物に設けられたＲＦＩＤに記録する記録手段と、を備えたことを特徴とする。
【００１４】
また、請求項１０に記載の発明にかかる計量情報記録装置は、請求項１〜９のいずれか一つに記載の発明において、前記対象物が、梱包されたまたは所定の容器に収納された廃棄物であることを特徴とする。
【００１５】
また、請求項１１に記載の発明にかかる計量情報記録方法は、対象物の重量を計量する計量工程と、前記計量工程によって前記対象物の重量が計量された日時に関する情報を取得する計量日時情報取得工程と、前記計量工程によって計量された重量に関する情報および前記計量日時情報取得工程によって取得された日時に関する情報を、前記対象物に設けられたＲＦＩＤに記録する記録工程と、を含んだことを特徴とする。
【００１６】
また、請求項１２に記載の発明にかかる計量情報記録方法は、請求項１１に記載の発明において、さらに、前記計量工程によって前記対象物の重量が計量された場所に関する情報を取得する計量場所情報取得工程を含み、前記記録工程が、前記計量場所情報取得工程によって取得された場所に関する情報を前記対象物に設けられたＲＦＩＤタグに記録することを特徴とする。
【００１７】
また、請求項１３に記載の発明にかかる計量情報記録方法は、請求項１１または１２に記載の発明において、前記記録工程によって記録される情報を表示する表示工程を含んだことを特徴とする。
【００１８】
また、請求項１４に記載の発明にかかる計量情報記録方法は、請求項１１または１２に記載の発明において、前記記録工程によって記録される情報を出力する送信工程を含んだことを特徴とする。
【００１９】
また、請求項１５に記載の発明にかかる計量情報記録方法は、請求項１１または１２に記載の発明において、前記記録工程によって記録される情報を所定の情報処理装置へ送信する送信工程を含んだことを特徴とする。
【００２０】
また、請求項１６に記載の発明にかかる計量情報記録プログラムは、前記請求項１１〜１５の計量情報記録方法のいずれか一つをコンピュータに実行させることを特徴とする。
【発明の効果】
【００２１】
本発明によれば、より簡易な作業で対象物の重量管理を効率的かつ確実におこなうことができ、対象物の健全な流通を維持することが可能な計量情報記録装置、計量情報記録方法および計量情報記録プログラムが得られるという効果を奏する。
【発明を実施するための最良の形態】
【００２２】
以下に添付図面を参照して、この発明にかかる計量情報記録装置、計量情報記録方法および計量情報記録プログラムの好適な実施の形態を詳細に説明する。
【００２３】
（システムの概要）
まず、この発明にかかる計量情報記録装置を含む全体システムの一具体例として、廃棄物処理のシステムについて説明する。図１は、本発明の実施の形態にかかる廃棄物処理システムの概要を示すブロック図である。図１において、廃棄物処理システムは、サーバ１０１と、計量情報記録装置１０２ａ，１０２ｂ，１０２ｃと、運搬車両１０３と、処理場１０４とを含む構成であり、それぞれがネットワーク１００によって接続されている。また、１１０は廃棄の対象となる対象物であり、１１１は、対象物に設けられたＲＦＩＤ（Ｒａｄｉｏ  Ｆｒｅｑｕｅｎｃｙ  ＩＤ）タグ（無線ＩＣタグ）である。
【００２４】
サーバ１０１は、廃棄物処理システム全体の制御を司る。載置型の計量情報記録装置１０２ａは、対象物１１０を載置することによってその重量を計量し、計量された重量を、対象物１１０に備えられたＲＦＩＤタグ１１１に記録する。さらに、ＲＦＩＤタグ１１１のＩＤナンバー、計量された重量、計量された日時、計量された場所のそれぞれに関する情報をネットワーク１００を介してサーバ１０１へ送信する。あるいは、上記各情報は、着脱可能な記録媒体（図示を省略）を介して、サーバ１０１へ入力させるようにしてもよい。
【００２５】
つり下げ型の計量情報記録装置１０２ｂは、対象物１１０をつり下げて運搬車両１０３に荷積みする際に対象物１１０の重量を計量し、載置型の計量情報記録装置１０２ａと同様に、対象物１１０に備えられたＲＦＩＤタグ１１１に記録する。さらに、ＲＦＩＤタグ１１１のＩＤナンバー、計量された重量、計量された日時、計量された場所のそれぞれに関する情報をネットワーク１００を介してサーバ１０１へ送信する。あるいは、上記各情報は、着脱可能な記録媒体（図示を省略）を介して、サーバ１０１へ入力されるようにしてもよい。
【００２６】
シート型の計量情報記録装置１０２ｃは、運搬車両１０３の荷台の入口付近に設けられており、対象物１１０を運搬車両１０３に荷積みして、シート型の計量情報記録装置１０２ｃ上に乗せた際に、当該対象物１１０の重量を計量することができる。そして、計量情報記録装置１０２ａ、１０２ｂと同様に、対象物１１０に備えられたＲＦＩＤタグ１１１に記録する。さらに、ＲＦＩＤタグ１１１のＩＤナンバー、計量された重量、計量された日時、計量された場所のそれぞれに関する情報をネットワーク１００を介してサーバ１０１へ送信する。あるいは、上記各情報は、着脱可能な記録媒体（図示を省略）を介して、サーバ１０１へ入力されるようにしてもよい。
【００２７】
処理場１０４においても上記計量情報記録装置１０２ａ〜１０２ｃのいずれかと同様の計量情報記録装置を備えており、運搬されてきた対象物１１０の重量を計量する。そして、サーバ１０１から当該対象物１１０の重量に関する情報の経緯を確認した後、対象物１１０に問題（不正行為など）がなかった場合に、当該対象物１１０の廃棄処理（焼却など）を実行する。なお、各計量情報記録装置１０２ａ〜１０２ｃの具体的な内容については後述する。
【００２８】
また、対象物１１０は、たとえば医療用産業廃棄物などの廃棄物であって、梱包または所定の容器に収容されたものがあげられる。対象物１１０、すなわち廃棄物の梱包あるいは廃棄物が収容された容器の所定の位置には、ＲＦＩＤタグ１１１が貼り付けなどによって設けられている。
【００２９】
ＲＦＩＤタグ１１１は、たとえば、情報を記録する小型のＩＣチップと、金属製のアンテナで構成する。ＩＣはたとえば０．１ミリ〜数ミリ角の大きさである。ＩＣは１０数バイト〜数Ｋバイトのメモリとロジック回路を備え、無線通信によってデータの読み取りや書き込みができる。ロジック回路によって、演算、認証、暗号化などの処理もできる。ＲＦＩＤタグ１１１は、電池を内蔵していてもよく、また内蔵していなくてもよい。ＲＦＩＤタグ１１１に電池を内蔵すれば、ＲＦＩＤタグ１１１から能動的に情報を発信することができる。一つひとつの対象物に対して固有のＩＤを付与することができ、ある程度離れた場所から複数のもののＩＤを一括して読み書きできる。したがって、対象物１１０の位置と数量を正確に把握できる。
【００３０】
（計量情報記録装置のハードウエア構成）
図２は、本実施の形態にかかる計量情報記録装置のハードウエア構成を示すブロック図である。図２において、この計量情報記録装置１０２ａ〜１０２ｃは、ＣＰＵ２０１と、ＲＯＭ２０２と、ＲＡＭ２０３と、ＨＤＤ（ハードディスクドライブ）２０４と、ＨＤ（ハードディスク）２０５と、ＦＤＤ（フレキシブルディスクドライブ）２０６と、着脱可能な記録媒体の一例としてのＦＤ（フレキシブルディスク）２０７と、ディスプレイ２０８と、Ｒ／Ｗ（リーダー／ライター）２０９と、Ｉ／Ｆ（インタフェース）２１０と、操作ボタン２１１と、重量センサ２１２と、時計２１３と、ＧＰＳ２１４と、プリンタ２１５と、を備えている。そして、上記各構成部はバス２００によってそれぞれ接続されている。
【００３１】
ＣＰＵ２０１は、計量情報記録装置１０２ａ〜１０２ｃの全体の制御を司る。ＲＯＭ２０２は、ブートプログラムなどのプログラムを記憶している。ＲＡＭ２０３は、ＣＰＵ２０１のワークエリアとして使用される。ＨＤＤ２０４は、ＣＰＵ２０１の制御にしたがってＨＤ２０５に対するデータのリード／ライトを制御する。ＨＤ２０５は、ＨＤＤ２０４の制御で書き込まれたデータを記憶する。
【００３２】
ＦＤＤ２０６は、ＣＰＵ２０１の制御にしたがってＦＤ２０７に対するデータのリード／ライトを制御する。ＦＤ２０７は、ＦＤＤ２０６の制御で書き込まれたデータを記憶したり、ＦＤ２０７に記録されたデータを情報処理装置へ読み取らせたりする。着脱可能な記録媒体として、ＦＤ２０７のほか、ＣＤ−ＲＯＭ（ＣＤ−Ｒ、ＣＤ−ＲＷ）、ＭＯ、ＤＶＤ（Ｄｉｇｉｔａｌ  Ｖｅｒｓａｔｉｌｅ  Ｄｉｓｋ）、メモリカードなどであってもよい。ディスプレイ２０８は、文書、画像、機能情報などのデータを表示する。たとえば、ＴＦＴ液晶ディスプレイのほか、ＣＲＴやプラズマディスプレイなどであってもよい。
【００３３】
Ｒ／Ｗ２０９は、ＲＦＩＤタグ１１１に対して、データの読み出し／書き込みをおこなう。通信距離は約数ｃｍから２ｍであり、無線周波数はたとえば、１３．５６ＭＨｚ（電磁誘導方式）と２．４５ＧＨｚ（マイクロ波方式）である。電磁誘導方式は、Ｒ／Ｗ２０９のコイルに電流を流して発生させた磁界で、無線ＩＣタグが持つコイル状のアンテナに電流を発生させ、ＩＣチップを動かす。マイクロ波方式は、Ｒ／Ｗ２０９のアンテナから発生させた電波を無線ＩＣタグのアンテナで受け取るようにする。
【００３４】
Ｉ／Ｆ（インタフェース）２１０は、通信回線を通じてネットワーク１００に接続され、ネットワーク１００を介して、サーバ、他の情報処理装置、各種データベースなどに接続される。そして、Ｉ／Ｆ２１０は、ネットワーク１００と装置内部とのインタフェースを司り、前記サーバ、他の情報処理装置、各種データベースからのデータの入出力を制御する。Ｉ／Ｆ２１０は、たとえばモデムやＬＡＮアダプタなどである。またＩ／Ｆ２１０は、ＵＳＢなどの外部入出力としても用いることができる。
【００３５】
操作ボタン２１１は、電源スイッチ、データの送受信、各種データの入力・設定などに用いる。また、重量センサ２１２は、載置されまたはつり下げられた対象物１１０の重量を検出する。また、時計２１３は、現在時刻を計時し、計量がおこなわれた時刻を出力する。
【００３６】
ＧＰＳ２１４は、計量情報記録装置１０２ａ〜１０２ｃが存在する位置を検出し、出力する。具体的には、ＧＰＳ２１４は、ＧＰＳ衛星からの電波を受信し、ＧＰＳ衛星との幾何学的位置を求めるものであり、地球上どこでも計測可能である。電波としては、１．５７５．４２ＭＨｚの搬送波で、Ｃ／Ａ（Ｃｏａｒｓｅ  ａｎｄ  Ａｃｃｅｓｓ）コードおよび航法メッセージが乗っているＬ１電波を用いておこなわれる。Ｃ／Ａコードはビット率１．０２３Ｍｂｐｓで、コードの長さは１０２３ｂｉｔ＝１ｍｓである。また、航法メッセージはビット率５０ｂｐｓで、コードの長さは、サブフレームが３００ｂｉｔ＝６ｓであり、メインフレームが１５００ｂｉｔ＝３０ｓであり、５サブフレームが１メインフレームであり、２５メインフレームが１マスターフレームである。
【００３７】
また、プリンタ２１５は、各種情報（ＩＤ、重量情報、日付情報、場所情報など）を印刷する。たとえば、サーマルプリンタ、インクジェットプリンタなどである。印刷紙としてはたとえばロール紙が装着され、またロール紙を切断するカッター部材もあわせて設けられていてもよい。
【００３８】
（計量情報記録装置の機能的構成）
つぎに、計量情報記録装置の機能的構成について説明する。図３は、本実施の形態にかかる計量情報記録装置の機能的構成の一例を示すブロック図である。図３において、本実施の形態にかかる計量情報記録装置１０２ａ〜１０２ｃは、計量部３０１と、計量日時情報取得部３０２と、記録部３０３と、計量場所情報取得部３０４と、対象物情報取得部３０５と、記憶部３０６と、表示部３０７と、出力部３０８と、送信部３０９と、を含む構成となっている。また、計量部３０１は、対象物載置部３１１または対象物つり下げ部３１２の少なくともいずれかを備えている。そして、ＲＯＭ２０２、ＲＡＭ２０３、ＨＤ２０５、ＦＤ２０７に記憶されたプログラムをＣＰＵ２０１が実行することによって各構成部の機能を実現することができる。
【００３９】
ここで、計量部３０１は、対象物１１０の重量を計量する。対象物１１０は、たとえば、梱包されたまたは所定の容器に収納された廃棄物である。重量を計量する場合は容器なども含めて計量する。容器などの重量はあらかじめわかっているので、廃棄物のみの重量は容易に算出することができる。計量部３０１は、具体的には、たとえば図２に示した重量センサ２１２によってその機能を実現する。
【００４０】
計量日時情報取得部３０２は、計量部３０１によって対象物１１０の重量が計量された日時に関する情報を取得する。計量日時情報取得部３０２は、具体的には、たとえば図２に示した時計２１３によってその機能を実現する。
【００４１】
記録部３０３は、計量部３０１によって計量された重量に関する情報および計量日時情報取得部３０２によって取得された日時に関する情報を、対象物１１０に設けられたＲＦＩＤタグ１１１に記録する。記録部３０３は、具体的には、たとえば図２に示したＲ／Ｗ（リーダー／ライター）２０９によってその機能を実現する。
【００４２】
計量場所情報取得部３０４は、計量部３０１によって対象物１１０の重量が計量された場所に関する情報を取得する。そして、記録部３０３は、計量場所情報取得部３０４によって取得された場所に関する情報を対象物１１０に設けられたＲＦＩＤタグ１１１に記録する。計量場所情報取得部３０４は、具体的には、たとえば図２に示したＧＰＳ２１４によってその機能を実現する。
【００４３】
対象物情報取得部３０５は、ＲＦＩＤタグ１１１に記録された対象物１１０に関する情報を取得する。対象物情報取得部３０５は、具体的には、たとえば図２に示したＲ／Ｗ２０９によってその機能を実現する。
【００４４】
記憶部３０６は、記録部３０３によって記録される情報を、対象物情報取得部３０５によって取得された情報に関連付けして記憶する。記憶部３０６は、具体的には、たとえば図２に示したＲＡＭ２０３、ＨＤ２０５、ＦＤ２０７などによってその機能を実現する。記憶部３０６に記憶される情報の具体的内容については、後述する（図４を参照）。
【００４５】
表示部３０７は、記憶部３０６に記憶された情報を表示する。計量中の対象物１１０の重量、計量日時、計量場所に関する情報だけでなく、すでに計量済みの対象物１１０の情報も表示することができる。また、対象物１１０に設けられたＲＦＩＤタグ１１１が読み取れなかった場合の警告情報もあわせて表示するようにしてもよい。表示部３０７は、具体的には、たとえば図２に示すディスプレイ２０８によってその機能を実現する。
【００４６】
出力部３０８は、記憶部３０６に記憶された情報を出力する。すなわち、着脱可能な記憶媒体に対象物１１０の重量、計量日時、計量場所に関する情報を記録したり、あるいは対象物１１０の重量、計量日時、計量場所に関する情報を印刷したりする。出力部３０８は、具体的には、たとえば図２に示すＦＤＤ２０６、プリンタ２１５によってその機能を実現する。
【００４７】
送信部３０９は、記憶部３０６に記憶された情報を所定の情報処理装置、たとえばサーバ１０１へネットワークを１００を介して送信する。送信部３０９は、具体的には、たとえば図２に示すＩ／Ｆ２１０によってその機能を実現する。
【００４８】
また、計量部３０１が備えている対象物載置部３１１は、対象物１１０を載置する。具体的には、たとえば、後述する図８に示す荷台面８０１に相当する。また、対象物載置部３１１は、シート状部材から構成されていてもよい。シート状部材は、具体的には、革製、布製、ビニール製などである。そして、計量部３０１は、対象物載置部３１１に載置された対象物１１０の重量を計量する。
【００４９】
また、計量部３０１が備えている対象物つり下げ部３１２は、対象物１１０をつり下げる。具体的には後述する図９に示すフック９０２に相当する。そして、計量部３０１は、対象物つり下げ部３１２に載置された対象物１１０の重量を計量する。
【００５０】
（記憶部に記憶されるデータ構成）
つぎに、記憶部３０６に記憶されるデータ構成について説明する。図４は、本実施の形態にかかる計量情報記録装置の記憶部に記憶されるデータ構成の一例を示す説明図である。
【００５１】
図４において、記憶部３０６に記憶されるデータは、計量された「日付」、計量された「時刻」、対象物１１０のＲＦＩＤタグ１１１の「ＩＤ」ナンバー、計測された対象物１１０の「重量」、「計量場所」からなる。「計量場所」には、ＧＰＳ２１４によって取得した緯度経度情報に基づいて、あらかじめ登録された緯度経度と関連付けられた地域情報（施設名など）を記憶する。したがって、単に緯度経度情報のみを記憶するようにしてもよい。
【００５２】
記憶部３０６に記憶されたこれらのデータは、記憶容量がいっぱいになるまで記憶しておき、いっぱいになった時点で古いデータから消去してもよく、また、データの改竄を防止するために、データをサーバ１０１へ送信した時点で消去するようにしてもよい。あるいは、対象物１１０が処理場で完全に処分されたことについて、処理場１０４からあるいはサーバ１０１から通知を受け、それに応じてデータを消去するようにしてもよい。
【００５３】
（計量情報記録装置の処理手順）
図５は、本実施の形態にかかる計量情報記録装置の処理の手順を示すフローチャートである。図５のフローチャートにおいて、まず、対象物１１０が対象物載置部３１１に載置されたかまたは対象物つり下げ部３１２につり下げられたか否かを判断する（ステップＳ５０１）。ここで、載置されまたはつり下げられるのを待って、載置された場合またはつり下げられた場合（ステップＳ５０１：Ｙｅｓ）は、当該対象物１１０の重量の計量処理を実行する（ステップＳ５０２）。
【００５４】
ステップＳ５０２の計量処理にともなって、ＲＦＩＤを読み取り、当該対象物１１０に関する情報（たとえばＩＤナンバーなど）を取得する（ステップＳ５０３）。ここで、ＲＦＩＤタグの読み取りに成功したか否かを判断し（ステップＳ５０４）、読み取りに失敗した場合（ステップＳ５０４：Ｎｏ）は、ＲＦＩＤが読み取ることができなかった旨のエラーを表示し（ステップＳ５０５）、一連の処理を終了する。
【００５５】
一方、ステップＳ５０４において、ＲＦＩＤタグの読み取りに成功した場合（ステップＳ５０４：Ｙｅｓ）は、少なくとも日時情報を取得し（ステップＳ５０６）、必要に応じて場所情報を取得する（ステップＳ５０７）。日時情報と場所情報の両方を取得する場合は、どちらを先に取得してもよい。
【００５６】
その後、計量した重量に関する情報と、日時情報と、（必要に応じて場所情報と）をＲＦＩＤタグへ書き込むとともに（ステップＳ５０８）、当該情報（データ）を記憶部３０６に記憶する（ステップＳ５０９）。ＲＦＩＤへの書き込みと記憶部３０６への記憶はどちらを先におこなってもよい。したがって、まずデータを記憶部３０６に記憶し、その後、記憶されたデータをＲＦＩＤタグへの書き込むようにしてもよい。
【００５７】
そして、記憶されたデータを所定の表示画面に表示し（ステップＳ５１０）、あるいは送信部３０９を備えている場合は当該データを所定のサーバ１０１へネットワーク１００を介して送信する（ステップＳ５１１）。さらに、当該データの出力要求があったか否かを判断し（ステップＳ５１２）、出力要求があった場合（ステップＳ５１２：Ｙｅｓ）は、当該データの出力をおこない（ステップＳ５１３）、一連の処理を終了する（ステップＳ５１３）。
【００５８】
（計量情報記録装置の別の機能的構成および処理手順）
つぎに、計量情報記録装置の別の機能的構成およびその処理手順について説明する。図６は、本実施の形態にかかる計量情報記録装置の機能的構成の別の一例を示すブロック図である。
【００５９】
図６において、本実施の形態にかかる計量情報記録装置１０２ａ〜１０２ｃは、計量情報取得部６０１と、計量日時情報取得部３０２と、記録部３０３と、計量場所情報取得部３０４と、対象物情報取得部３０５と、記憶部３０６と、表示部３０７と、出力部３０８と、送信部３０９と、を含む構成となっている。
【００６０】
すなわち、図３に示した計量情報記録装置１０２ａ〜１０２ｃの機能的構成とは、計量部３０１を備えていない点で相違する。したがって、他の計量装置（図示を省略）によって対象物１１０の計量をおこない、計量された情報を計量情報取得部６０１が取得する。その他の構成については図３に示した計量情報記録装置１０２ａ〜１０２ｃと同一であり、同一の符号を付してその説明を省略する。
【００６１】
ここで、計量情報取得部６０１は、対象物１１０の重量を計量する上記他の計量装置と有線または無線（図示を省略）によって接続され、当該他の計量装置によって計量された対象物１１０の重量に関する情報を、前記有線または無線を介して取得する。計量情報取得部６０１は、具体的には、たとえばＩ／Ｆ２１０によってその機能を実現する。また、ＵＳＢなどの有線や、Ｂｌｕｅｔｏｏｔｈなどの無線によって上記他の計量装置と接続するようにしてもよい。
【００６２】
また、図７は、本実施の形態にかかる計量情報記録装置の処理の別の手順を示すフローチャートである。図７のフローチャートにおいて、まず、上記他の計量装置から対象物１１０の計量情報について入力があったか否かを判断する（ステップＳ７０１）。ここで、入力があるのを待って、入力があった場合（ステップＳ７０１：Ｙｅｓ）は、図５のステップＳ５０３へ移行し、ＲＦＩＤを読み取り、当該対象物１１０に関する情報（たとえばＩＤナンバーなど）を取得する（ステップＳ５０３）。以降は、図５と同様であるので、その説明は省略する。
【００６３】
（計量情報記録装置の外観）
つぎに、計量情報記録装置の外観について説明する。図８〜図１０は、本実施の形態にかかる計量情報記録装置の外観の一例を示す説明図である。図８において、計量情報記録装置１０２ａは、荷台面８０１と、Ｒ／Ｗ８０２と、Ｒ／Ｗ支持部８０３と、表示画面８０４と、操作ボタン８０５と、を含む構成となっている。対象物１１０を荷台面８０１に乗せると荷台面８０１にかかる重量を内蔵された重量センサ２１２（図示を省略）によって検出する。
【００６４】
検出された重量は、表示画面８０４に表示するとともに、内蔵されたメモリ（図示を省略）に記憶し、さらに、Ｒ／Ｗ８０２によって対象物１１０に備えられたＲＦＩＤタグ１１１に書き込みがおこなわれる。図８においてＲ／Ｗ８０２は、Ｒ／Ｗ支持部８０３に３つ備えられている。縦方向に３つ並んで備えられているのは、対象物１１０を荷台面８０１に３つ重ねて乗せた場合に、各対象物１１０にそれぞれ同時にデータの書き込みをおこなうことができる。
【００６５】
担当者（作業者）は、まず１つ目の対象物１１０を荷台面８０１に乗せる。その際、重量センサ２１２が１つ目の対象物１１０の重量を計量（検出）する。つぎに、担当者（操作者）は、２つ目の対象物１１０を１つ目の対象物１１０の上に重ねて乗せる。その際、重量センサ２１２は、１つ目と２つ目の対象物１１０の総重量を計量（検出）する。そして、総重量から１つ目の重量を減算することで２つ目の重量を算出する。３つ目の重量も同様の方法で算出することができる。
【００６６】
Ｒ／Ｗ８０２の数は３つに限定されるものではなく、対象物１１０の大きさ、予想重量などによって最適な数を設定するとよい。また、対象物１１０の大きさ、形状などに適応させるため、Ｒ／Ｗ支持部８０３が伸縮してもよく、また、Ｒ／Ｗ８０２の位置を可動にしてもよい。さらに、複数の対象物１１０を積み重ねて計量する場合であっても、あらかじめ各対象物１１０のＲＦＩＤタグ１１１の各ＩＤナンバーを取得し、一つのＲ／Ｗ８０２によって、複数の対象物１１０のＲＦＩＤタグ１１１に対して一括して書き込むような構成としてもよい。
【００６７】
図９において、計量情報記録装置１０２ｂは、取手部９０１と、フック９０２と、バネ部材９０３と、内蔵Ｒ／Ｗ９０４と、を含む構成となっている。担当者（操作者）は、フック９０２を対象物１１０の所定箇所に引っかけるように固定し、取手部９０１を掌握し持ち上げることで、対象物１１０をつり下げる。その際、フック９０２が対象物１１０の重さで下方向に移動しようとする力に対応してバネ部材９０３が伸張する。図示を省略する重量センサ２１２は、この際のフック９０２およびバネ部材９０３にかかる力を検出して対象物１１０の重量を計量する。
【００６８】
そして、検出された重量は、表示画面（図示を省略）に表示するとともに、内蔵されたメモリ（図示を省略）に記憶し、さらに、内蔵Ｒ／Ｗ９０４によって対象物１１０に備えられたＲＦＩＤタグ１１１に書き込みがおこなわれる。対象物１１０の形状、大きさ、重さによっては、担当者（操作者）は、同一形状の計量情報記録装置１０２ｂを２つ用いることもできる。
【００６９】
その場合、担当者（操作者）は、２つの計量情報記録装置１０２ｂを一つの対象物１１０の所定の箇所に引っかけて固定し、両手でそれぞれの計量情報記録装置１０２ｂの取手部９０１を掌握して持ち上げる。その際、対象物１１０の重量は、２つの計量情報記録装置１０２ｂに分散してしまうので、２つの計量情報記録装置１０２ｂ間を有線または無線によって接続し、分散した重量の総和を当該対象物１１０の重量とするように計算処理をするとよい。
【００７０】
このように、計量情報記録装置１０２ｂをつり下げ型としたので、担当者（操作者）はこの計量情報記録装置１０２ｂを用いて、対象物１１０をつり下げて運搬するだけで、別途特別な操作をすることなく、重量が計量され、計量された重量に関する情報が対象物１１０に設けられたＲＦＩＤタグ１１１に記録されることになる。
【００７１】
図１０において、計量情報記録装置１０２ｃは、シート自体が計量器になっており、シートの所定位置に複数のＲ／Ｗ１００１と表示画面１００２が設けられている。対象物１１０をシートに乗せるとシートにかかる重量を内蔵された重量センサ２１２（図示を省略）によって検出する。検出された重量は、表示画面１００２に表示するとともに、内蔵されたメモリ（図示を省略）に記憶し、さらに、Ｒ／Ｗ１００１によって対象物１１０に備えられたＲＦＩＤタグ１１１に書き込みがおこなわれる。
【００７２】
図１１は、図１０で示した計量情報記録装置の使用形態の一例を示す説明図である。図１１に示すように、対象物１１０を運搬車両１０３に積む際は、通常、２名以上の担当者（作業者）１１０１が作業をおこなう。すなわち、荷台の入口付近に対象物１１０を乗せる担当と、荷台の入口付近に乗せられた対象物１１０を荷台の奥へ移動させる担当である。このような作業においては、対象物１１０は一度は必ず荷台の入口付近に置かれるため、ここにシート型の計量情報記録装置１０２ｃを設けることで、対象物１１０を計量するために、担当者（作業者）に別の作業を強いることはない。
【００７３】
以上説明したように、本実施の形態によれば、対象物の重量を計量する計量部３０１と、計量部３０１によって対象物１１０の重量が計量された日時に関する情報を取得する計量日時情報取得部３０２と、計量部３０１によって計量された重量に関する情報および計量日時情報取得部３０２によって取得された日時に関する情報を、対象物１１０に設けられたＲＦＩＤタグ１１１に記録する記録部３０３と、を備えたため、効率的かつ確実に対象物１１０の重量管理をおこなうことができる。
【００７４】
特に対象物１１０が梱包されたまたは所定の容器に収納された産業廃棄物の場合に、産業廃棄物の排出場所と処理場１０４での重量管理を徹底することができ、不法投棄の抑制を図ることができる。より具体的には、重量情報を運搬業者、処理業者に示さず、排出企業において管理することができ、これによって、計量して中身を同重量のものにすり替えるという手間をかけない限り、不法投棄を抑制することができる。
【００７５】
また、計量部３０１によって対象物１１０の重量が計量された場所に関する情報を取得する計量場所情報取得部３０４を備え、記録部３０３が、計量場所情報取得部３０４によって取得された場所に関する情報を対象物１１０に設けられたＲＦＩＤタグ１１１に記録するため、正規におこなわれるべき計量場所で計量がなされたことを確認することができる。
【００７６】
ＲＦＩＤタグ１１１に記録された対象物１１０に関する情報を取得する対象物情報取得部３０５と、記録部３０３によって記録される情報を、対象物情報取得３０５によって取得された情報に関連付けして記憶する記憶部３０６と、記憶部３０６に記憶された情報を表示する表示部３０７と、当該情報を出力する出力部３０８と、当該情報を所定の情報処理装置（サーバ１０１）へ送信する送信部３０９と、を備えたため、現場の担当者（作業者）に対象物１１０の計量に関する情報を知らしめることができる。ただし、不正を防止するため、あえて現場の担当者（作業者）に知らしめない方がよい場合もある。
【００７７】
また、記録媒体に出力することで、バッチ処理によって、サーバ１０１へ計量に関する情報を入力することができ、通信を用いて、オンライン処理によって、サーバ１０１へ計量に関する情報を入力することもできる。これによって、計量に関する情報をサーバ１０１において一括管理することができる。
【００７８】
なお、本実施の形態で説明した計量情報記録方法は、あらかじめ用意されたプログラムをパーソナルコンピュータやワークステーション等のコンピュータで実行することにより実現することができる。このプログラムは、ハードディスク、フレキシブルディスク、ＣＤ−ＲＯＭ、ＭＯ、ＤＶＤ等のコンピュータで読み取り可能な記録媒体に記録され、コンピュータによって記録媒体から読み出されることによって実行される。またこのプログラムは、インターネット等のネットワークを介して配布することが可能な伝送媒体であってもよい。
【産業上の利用可能性】
【００７９】
以上のように、本発明にかかる計量情報記録装置、計量情報記録方法および計量情報記録プログラムは、物品の流通、運搬の際の物品の重量の管理をおこなうシステムに用いるのに適している。
【図面の簡単な説明】
【００８０】
【図１】本発明の実施の形態にかかる廃棄物処理システムの概要を示すブロック図である。
【図２】本実施の形態にかかる計量情報記録装置のハードウエア構成を示すブロック図である。
【図３】本実施の形態にかかる計量情報記録装置の機能的構成の一例を示すブロック図である。
【図４】本実施の形態にかかる計量情報記録装置の記憶部に記憶されるデータ構成の一例を示す説明図である。
【図５】本実施の形態にかかる計量情報記録装置の処理の手順を示すフローチャートである。
【図６】本実施の形態にかかる計量情報記録装置の機能的構成の別の一例を示すブロック図である。
【図７】本実施の形態にかかる計量情報記録装置の処理の別の手順を示すフローチャートである。
【図８】本実施の形態にかかる計量情報記録装置の外観の一例を示す説明図である。
【図９】本実施の形態にかかる計量情報記録装置の外観の別の一例を示す説明図である。
【図１０】本実施の形態にかかる計量情報記録装置の外観の別の一例を示す説明図である。
【図１１】図１０で示した計量情報記録装置の使用形態の一例を示す説明図である。
【符号の説明】
【００８１】
１００  ネットワーク
１０１  サーバ
１０２ａ，１０２ｂ，１０２ｃ  計量情報記録装置
１０３  運搬車両
１０４  処理場
１１０  対象物（梱包されたまたは容器に収容された廃棄物）
１１１  ＲＦＩＤタグ
３０１  計量部
３０２  計量日時情報取得部
３０３  記録部
３０４  計量場所情報取得部
３０５  対象物情報取得部
３０６  記憶部
３０７  表示部
３０８  出力部
３０９  送信部
３１１  対象物載置部
３１２  対象物つり下げ部
６０１  計量情報取得部
８０１  荷台面
８０２  Ｒ／Ｗ
８０３  Ｒ／Ｗ支持部
８０４  表示画面
８０５  操作ボタン
９０１  取手部
９０２  フック
９０３  バネ部材
９０４  内蔵Ｒ／Ｗ
１００１  Ｒ／Ｗ
１００２  表示画面
【図１】
2006058186.tif 000003
【図２】
2006058186.tif 000004
【図３】
2006058186.tif 000005
【図４】
2006058186.tif 000006
【図５】
2006058186.tif 000007
【図６】
2006058186.tif 000008
【図７】
2006058186.tif 000009
【図８】
2006058186.tif 000010
【図９】
2006058186.tif 000011
【図１０】
2006058186.tif 000012
【図１１】
2006058186.tif 000013